(57)【要約】【課題】いつでもフィルターの高さ方向の長さを変更できるようにして、ボトル内に入れる果物などの素材をその量に応じた適量の水とともに適切に粉砕、攪拌する。フィルターとボトルを確実に固定し、固定箇所を洗いやすくする。【解決手段】このミキサーでは、導入管４２はフィルター４の上に設置される短管４２ａと短管４２ａに取り外し自在に連結される延長管４２ｂとにより構成される。フィルター４とボトル２はフィルター４の底側の外周に設置された複数のＬ型板４４とボトル２の底側の内周に設置された複数の横向き固定塊２１との締め込み係合により固定される。【選択図】図１
0003145789.tif 000002
【実用新案登録請求の範囲】
【請求項１】
駆動装置（１１）を有する台座（１）と、前記台座（１）にセットされるボトル（２）と、前記ボトル（２）内に配置され、かつ前記駆動装置（１１）に作動連結されるカッター（３）と、前記ボトル（２）内に設置され、前記カッター（３）上に被せられるフィルター（４）と、前記ボトル（２）に被着されるフタ（５）とを備えて構成され、前記フィルター（４）は下部が濾網（４１）に覆われて、上部にフィルター（４）の内部に連通し、前記フィルター（４）よりも小さい直径の導入管（４２）が延ばされるミキサーにおいて、
前記導入管（４２）は、
前記フィルター（４）の上に設置される短管（４２ａ）と、前記短管（４２ａ）に取り外し自在に連結される延長管（４２ｂ）とにより構成される、
ことを特徴とするミキサー。
【請求項２】
短管（４２ａ）と延長管（４２ｂ）は前記短管（４２ａ）の開口に設けられた雌ねじ（４２１）と前記延長管（４２ｂ）の底側に設けられた雄ねじ（４２２）との締め込みにより固定される請求項１に記載のミキサー。
【請求項３】
短管（４２ａ）と延長管（４２ｂ）は前記短管（４２ａ）の頂部に設けられた雄ねじと前記延長管（４２ｂ）の底側開口に設けられた雌ねじとの締め込みにより固定される請求項１に記載のミキサー。
【請求項４】
短管（４２ａ）及び／又は延長管（４２ｂ）の管壁に、液体がフィルター（４）に流入可能に、複数の導孔（４２３）、（４２４）が貫通形成される請求項１に記載のミキサー。
【請求項５】
フィルター（４）とボトル（２）は、前記フィルター（４）の底側の外周に設置された複数のＬ型板（４４）と前記ボトル（２）の底側の内周に設置された複数の横向き固定塊（２１）との係合により固定される請求項１に記載のミキサー。
【請求項６】
ボトル（２）の内側底部に複数の断面二等辺三角形の擾流条（２２）が、前記底部の中央に円形の凸状に設けられたカッター（３）の台座の周囲に接線方向に向けて設置される請求項１に記載のミキサー。
【請求項７】
駆動装置（１１）を有する台座（１）と、前記台座（１）にセットされるボトル（２）と、前記ボトル（２）内に配置され、前記駆動装置（１１）に作動連結されるカッター（３）と、前記ボトル（２）内に設置され、前記カッター（３）上に被せられるフィルター（４）と、前記ボトル（２）に被着されるフタ（５）とを備えて構成され、前記フィルター（４）は下部が濾網（４１）に覆われて、上部にフィルター（４）の内部に連通し、前記フィルター（４）よりも小さい直径の導入管（４２）が延ばされるミキサーにおいて、
前記フィルター（４）の底側の外周に複数のＬ型板（４４）が設置され、
前記ボトル（２）の底側の内周に複数の横向き固定塊（２１）が設置され、
前記横向きの固定塊（２１）と前記ボトル（２）の底面との距離が前記Ｌ型板（４４）の厚さに比べて少し長く、
前記フィルター（４）と前記ボトル（２）は前記複数のＬ型板（４４）を前記複数の横向き固定塊（２１）に締め込むことより固定される、
ことを特徴とするミキサー。
【考案の詳細な説明】
【技術分野】
【０００１】
本考案はミキサーに関し、特に、ミキサー（カップ）内に濾材を付けることによって、ミキサー内に入れた物の繊維を一層細かく砕けるようにしたミキサーの構造の改良に関する。
【背景技術】
【０００２】
従来のミキサーはボトル内にカッターが付いているだけなので、ボトル内に入れた果物を、カッターを回すだけで、粉砕し混ぜるようになっている。このようにしてできたジュースは大量の繊維を含んでいて、ドロドロの状態になっている。しかし、繊維は大きく、繊細な口当たりが感じられるものではなかった。
【０００３】
そこで、このような不具合を無くすために、ミキサーの構造が改良され、ミキサーのボトル内にフィルターを設置してミキサー内の刃を被うようにしたものが提案された。このミキサーでは、フィルター内で果物を長く砕き混ぜるから、ジュースの大きい繊維は小さくなり、フィルターを通過して、ミキサーボトルに入っていく。この種のミキサーに関する文献は特許文献１、２、３などに記載されている。これら特許文献のミキサーでは、文献１の場合、フィルター、文献２の場合、網筒、文献３の場合、フィルタの素子のトップに開口が設けられて、果物などの物を入れることができ、また、水を入れることができ、果物の繊維の粉砕と攪拌の効果を向上させている。そして、容器の中のジュースは、カッターが高速回転されて遠心力が働くので、上昇し、再び開口に入り、フィルターを通過して、残り滓が切削され、繊維の粉砕、攪拌効果はさらに上がることになる。
【０００４】
【特許文献１】中華民国公告公報第４８８２７０号  ミキサーの追加1  ２００２年５月２１日公開
【特許文献２】中華民国実用新案登録番号Ｍ２４２１４６  ジュース濾過機  ２００４年２９月０１日公開
【特許文献３】中華民国実用新案登録番号Ｍ２７８３６０  ミキサー濾材結構改良  ２００５年１０月２１日公開
【考案の開示】
【考案が解決しようとする課題】
【０００５】
ところで、これら従来のフィルター付きのミキサーの場合、フィルターの高さ方向の長さが一定で上部開口の位置（高さ）が変わらないところ、ボトル内に入れる果物など素材の量が多いときは、適量の水を入れることで、ジュースは簡単に開口に流入することになる。ジュースの量は約２０００ＣＣくらいである。しかしながら、素材の量が少ないと、適量の水を入れるだけでは、ジュースの量は開口の位置に達するほど多くならないので、ジュースをフィルターの開口に通すことができない。つまり、水その他の液体を入れる方法以外に、水位を開口まで上げることができない。また、水を加えて水位を開口まで上げようとすると、ジュースの濃度は低くなり、味は薄くならざるを得ない。
【０００６】
また、従来のミキサーの構造について検討してみると、文献１の場合、フィルターの下側にＬ形の槽を有し、ミキサーのボトルの底に突き出された部位と合わせるようになっているが、これが動きやすいので、フィルターの上にしっかりフタを閉めて、フィルターが緩むのを防止している。文献２の場合、フィルターの底側に横向きの板が突き出されて設置され、ミキサーのボトルの下側に設置されたＬ形板と合わせて固定されるようになっているが、図９に示すように、ボトル２Ａを洗うときに、Ｌ形板２Ｂに死角Ｃになるところがあるので、洗いにくく、そこに黴などの菌が生じやすい。文献３の場合、フィルターは上部外側の固定輪とボトル内の塀を合わせるようにしているが、この輪は上がるジュースを阻止し、ジュースを十分に攪拌させることができないので、繊維が細かくなりにくい。
【０００７】
さらに、従来のミキサーの構造について検討したところ、ボトルの底側に擾流という作用を有する条状物が設置されて、ボトルの底のジュースが攪拌されるようになっているが、従来の擾流条は、図１０の断面図に示すように、断面直角三角形に形成されて、ボトルの底から突出する一方の一辺は斜面で、他方の一辺は垂直面になっているため、ジュースが時計回りに攪拌されるときは、水流が擾流条の傾斜面に衝接し、水流が傾斜面の上を流れることによって、底にあるジュースは次々に上昇することになるが、逆に、ジュースが反時計回りに攪拌されると、水流が擾流条の垂直面に衝突して、乱流となり、水流は穏やかな動きにならない。
【０００８】
本考案は、このような従来の課題に鑑みなされたもので、この種のミキサーにおいて、いつでもフィルターの高さ方向の長さを変更して、ボトル内に入れる果物などの素材をその量に応じた適量の水とともに適切に粉砕、攪拌すること、フィルターとボトルを確実に固定するとともに、固定箇所を汚れにくく、洗いやすくすること、ボトルの底側にカッターの回転方向（右回り、左回り）に関わらず、ジュースの流れを乱流にならないように案内する条状物を設けることなど、を目的とする。
【課題を解決するための手段】
【０００９】
上記目的を達成するために、本考案は、ミキサーの構造の改良に関するもので、一つの駆動装置（１１）を有する台座（１）、一つ台座（１）とセットするボトル（２）、一つのボトル（２）内に、且つ上記の駆動装置（１１）と連接のカッター（３）、ボトル（２）内に上記のカッターを被れるフィルター（４）一つ、フタ（５）から構成されている。このフィルター（４）の下の部分に濾網（４１）を覆っていり、上部にフィルター（４）の中で相通し、小さい直径の導入管（４２）を伸び、その特徴を下記に示す。
［１］この改良では、導入管（４２）はフィルター（４）の上に設置し、短管（４２ａ）と連接し、短管（４２ａ）と連接し、いつでも勝手に外せる延長管（４２ｂ）から構成されている。
［２］この改良では、前述の短管（４２ａ）の開け口に雌ねじ（４２１）を設置し、延長管（４３）の底部の雄ねじ（４２２）と締める。
［３］この改良では、前述の短管（４２ａ）の頂部に雄ねじを設置し、延長管の底側の開け口の雌ねじと締める。
［４］この改良では、前述の短管（４２ａ）、また延長管（４２ｂ）の管壁に貫き通す数個の小さい導孔（４２３）、（４２４）を設け、液体をフィルター（４）に流れ入らせる。
［５］この改良では、前述のフィルター（４）の底側の外環に設置された数個Ｌ型板（４４）とボトル（２）の底部の内縁に設置された数個の横向き固定塊（２１）を締める。
［６］この改良では、前述のボトル（２）の中の底部にいくつの二等辺三角形の断面の擾流条（２２）を底部中央の凸の接線の方向に設置する。
【００１０】
また、本考案は、駆動装置（１１）を有する台座（１）、台座（１）とセットするボトル（２）、ボトル（２）内に上記の駆動装置（１１）と連接のカッター（３）、ボトル（２）内に上記のカッターを被れるフィルター（４）、フタ（５）から構成されている。このフィルター（４）の下の部分に濾網（４１）を覆っていり、上部にフィルター（４）の中で相通し、小さい直径の導入管（４２）を伸ぶ。その特徴は、前記のフィルター（４）の底側の外縁に数個Ｌ形板（４４）とボトル（２）の底部の内縁の横向きの固定塊（２１）を締める。この横向きの固定塊（２１）は底面との距離がＬ型板（４４）の厚さと比べると、ちょっと遠い。
【考案の効果】
【００１１】
本考案のミキサーは、上記の各構成により、次のような作用効果を有する。
［１］導入管（４２）は短管（４２ａ）と延長管（４２ｂ）が雄ねじ（４２２）と雌ねじ（４２１）のように閉め、いつでも勝手に外したり、組み合ったりすることができる。それで、短管（４２ａ）の開き口が高くないので、ジュースの必要量が少ないとき、ボトル（２）に少しだけ水を入れると、ジュースは回転してあがると、短管（４２ａ）の開け口からフィルター（４）に入り、回流して切削することになりやすい。ジュースの必要量が多いとき、短管（４２ａ）に延長管（４２ｂ）を加え、ボトル（２）に大量の水を入れ、ジュースは回転してあがると、短管（４２ａ）の開け口からフィルター（４）に入り、回流して切削することになりやすい。したがって、延長管（４２ｂ）を加えるかどうか、必要によってチェンジできる。
［２］短管（４２ａ）または、延長管（４２ｂ）の壁に小さい導孔（４２３）、（４２４）を設置してから、ジュースは短管（４２ａ）或は延長管（４２ｂ）の開け口に着く前にフィルター（４）に入れること。このようにして、回流の効果を向上させる。
［３］フィルター（４）はＬ型板（４４）とボトル（２）の底部の横向き固定塊（２１）を締める。ボトル（２）の固定塊（２１）の洗う死角がないから、ボトル（２）を水洗いさせやすいし、滓を残りにくいにより、汚すことになれない。
［４］擾流条（２２）は二等辺三角形なので、二辺が斜面であり、ボトル（２）内にジュースは右回りしとか、左回りしとか、水流が斜角の方向に上がり、乱流にならない。
【考案を実施するための最良の形態】
【００１２】
次に、本考案を実施するための最良の形態について図面を用いて説明する。図１はミキサーの全体構成を示す分解斜視図、図２はその組み立て後の斜視図である。図３はこのミキサーに採用されるフィルター及び導入管（短管、延長管）を示す斜視図、図４は延長管のみを示す斜視図である。図５はこのミキサーの、フィルターから延長管を取り外したときの動作例を示す一部断面側面図、図６はこのミキサーの、フィルターに延長管を取り付けたときの動作例を示す一部断面側面図である。
【００１３】
図１及び図２に示すように、ミキサーは、従来と同様に、駆動装置１１が内蔵された台座１と、台座１にセットされるボトル２と、ボトル２内に配置され、かつ駆動装置１１に作動連結されるカッター３と、ボトル２内に設置され、カッター３上に被せられるフィルター４と、ボトル２に被着されるフタ５とを備えて構成され、フィルター４は下部が濾網４１に覆われて、上部にフィルター４の内部に連通し、フィルター４よりも小さい直径の導入管４２が延ばされる。このようにしてジュースの素材である果物を、導入管４２を通じて、フィルター４に入れ、カッター３を駆動装置１１により回転させることによって、果物を粉砕、攪拌する。これにより、細かい繊維はフィルター４から出て、粗い繊維はフィルター４内で切削されながら攪拌されることによって、ボトル２内でジュースの繊維は繊細になる。ただし、ジュースは濃すぎるのを避けるために、適量の水を入れて、ジュースを希釈する。
【００１４】
このミキサーでは、特に導入管４２の構造、フィルター４とボトル２との固定構造、及び擾流条２２の構造が改良され、従来と異なるものになっている。
【００１５】
導入管４２の構造を図３及び図４に示している。図３及び図４に示すように、導入管４２は、フィルター４の上に設置される短管４２ａと、この短管４２ａに取り外し自在に連結される延長管４２ｂとにより構成される。この場合、短管４２ａの開口に雌ねじ４２１が設けられ、延長管４２ｂの底側の開口に雄ねじ４２２が設けられて、短管４２ａと延長管４２ｂが短管４２ａの雌ねじ４２１と延長管４２ｂの雄ねじ４２２が合せられ、両者の締め込みにより固定され、これと逆に回せば、短管４２ａから延長管４２ｂを取り外すことができる。なお、これとは反対に、短管４２ａと延長管４２ｂは短管４２ａの頂部に設けられた雄ねじと延長管４２ｂの底側開口に設けられた雌ねじとの締め込みにより固定されても勿論かまわない。
【００１６】
また、この導入管４２の場合、図３に示すように、短管４２ａの管壁に液体をフィルター４に入れるための複数の導孔４２３、４２３が貫通形成される。これにより、ボトル内でジュースが回転して上がり、短管４２ａの開口に達するまでに、導孔４２３に入り、フィルター４内に水分を補足する。同様に、図４に示すように、延長管４２ｂの管壁に液体をフィルター４に入れるための複数の導孔４２４、４２４が貫通形成される。これにより、ボトル内でジュースが回転して上がり、延長管４２ｂの開口に達するまでに、導孔４２４に入り、フィルター４内に水分を補足する。
【００１７】
この導入管４２を採用したミキサーの動作を図５及び図６に示している。図５は、ミキサーのフィルター４に延長管４２ｂをセットしていないときの状態を示すもので、この場合、短管４２ａの開口位置が延長管４２ｂがない分だけ高くないので、ジュースの必要量が少ないときでも、ボトル２にジュースの必要量に応じた適量の少しの水を入れると、ジュースは回転して短管４２ａの開口まで上がり、短管４２ａの開口からフィルター４に入り、回流して簡単に切削されることになる。図６は、ジュースの必要量が多いときに、短管４２ａに延長管４２ｂを取り付けて、ボトル２にジュースの必要量に応じた適量の多くの水を入れると、ジュースは回転して延長管４２ｂの開口まで上がり、延長管４２ｂの開口からフィルター４に入り、回流して簡単に切削されることになる。したがって、短管４２ａに延長管４２ｂを取り付けるかどうかは、ジュースの必要量によって適宜選択されることになる。これにより、従来の導入管は長すぎるために、少量のジュース（水）を入れるだけでは、導入管の開口まで達しないという欠点が改められた。
【００１８】
フィルター４とボトル２との固定構造を図７に示している。図７に示すように、フィルター４の底側の外周に複数のＬ型板４４が設置され、ボトル２の底側の内周に複数の横向き固定塊２１が設置される。このようにしてフィルター４とボトル２は、フィルター４の各Ｌ型板４４をボトル２の各横向き固定塊２１に締め込み合わせることにより固定される。これらＬ型板４４と横向き固定塊２１との係合により、フィルター４はボトル２内に緩むことなく、確実に設置される。また、ボトル２の各横向き固定塊２１には死角になるところがないので、ボトル２に滓が残りにくく、水洗いもしやすくなる。
【００１９】
擾流条２２の構造を図８に示している。図８に示すように、ボトル２の内側底部に複数の擾流条２２が断面二等辺三角形に形成され、図１に示すように、底部の中央に円形の凸状に設けられたカッター３の台座の周囲に接線方向に向けて設置される。このようにしてカッター３が左回り、右回りのいずれの方向に回転しても、ジュースは各擾流条２２の上り傾斜の傾斜面の案内により、所定の角度で斜めに上がり、底部におけるジュースは底から上に向けて回転するので、ボトル２の底部が死角になることがない。
【００２０】
以上説明したように、この実施の形態によれば、次のような効果を奏する。
（１）導入管４２は短管４２ａと延長管４２ｂとからなり、短管４２ａの雌ねじ４２１と延長管４２ｂの雄ねじ４２２との締め込みにより連結されるので、短管４２ａから延長管４２ｂをいつでも自由に取り外したり、組み合わせたりすることができる。このようにしたことで、短管４２ａから延長管４２ｂを取り外せば、導入管４２（短管４２ａ）の開口位置は延長管がない分だけ高くないので、必要とするジュースの量（ジュースの素材の量）が少ないときでも、ボトル２に必要とするジュースの量に応じて適量の少しの水を入れればよく、ジュースは回転して短管４２ａの開口まで上がり、短管４２ａの開口からフィルター４に入り、回流して切削されやすくなる。必要とするジュースの量（ジュースの素材の量）が多いときは、短管４２ａに延長管４２ｂを取り付ければ、導入管４２（延長管４２ｂ）の開口位置は短管４２ａの開口位置よりも延長管４２ｂの分だけ高くなり、ボトル２に必要とするジュースの量に応じて適量の多くの水を入れると、ジュースは回転して延長管４２ｂの開口まで上がり、短管４２ａの開口からフィルター４に入り、回流して切削されやすくなる。したがって、延長管４２ｂを取り付けるかどうかは、ジュースの必要量によって適宜選択されることになる。
（２）短管４２ａ、延長管４２ｂの管壁に複数の導孔４２３、４２４が形成されているので、ジュースを短管４２ａ、延長管４２bの開口に達するまでにフィルター４内に入れることができ、ジュースの回流作用を向上させることができる。
（３）フィルター４とボトル２は、フィルター４の底側の外周に設置されたＬ型板４４とボトル２の底側の内周に設置された複数の横向き固定塊２１との締め込みにより固定されるので、フィルター４をボトル２内に緩むことなしに確実に固定することができる。また、ボトル２の横向き固定塊２１は洗う場合に死角となるところがないから、ボトル２に滓が残りにくいから汚れにくく、水洗いがしやすい。
（４）擾流条２２は断面二等辺三角形に形成されて、ボトル２の底面上に突出する二辺が傾斜面になっているので、ボトル２内でジュースが右回りしても、また左回りしても、ジュースの流れが上り傾斜に沿って上がり、乱流になることがない。
【図面の簡単な説明】
【００２１】
【図１】本考案の一実施の形態におけるミキサーを示す分解斜視図
【図２】同ミキサーの組み立て後の斜視図
【図３】同ミキサーに採用されるフィルター及び導入管（短管、延長管）を示す斜視図
【図４】同ミキサーに採用される延長管を示す斜視図
【図５】同ミキサーの、フィルターから延長管を取り外したときの動作例を示す一部断面側面図
【図６】同ミキサーの、フィルターに延長管を取り付けたときの動作例を示す一部断面側面図
【図７】同ミキサーに採用されるフィルターとボトルとの固定構造を示す一部省略断面図
【図８】（Ａ）（Ｂ）同ミキサーに採用される擾流条を示す一部省略断面図
【図９】従来のミキサーに採用されるボトルを示す斜視図
【図１０】（Ａ）（Ｂ）従来のミキサーに採用される擾流条を示す一部省略断面図の断面視図。
【符号の説明】
【００２２】
１  台座
１１  駆動装置
２  ボトル
２１  固定塊
２２  擾流条
３  カッター
４  フィルター
４１  フィルター
４２  導入管
４２ａ  短管
４２ｂ  延長管
４２１  雌ねじ
４２２  雄ねじ
４２３  導孔
４２４  導孔
４４  Ｌ型板
５  フタ
２Ａ  ボトル
２Ｂ  Ｌ型板
Ｃ  死角
【図１】
0003145789.tif 000003
【図２】
0003145789.tif 000004
【図３】
0003145789.tif 000005
【図４】
0003145789.tif 000006
【図５】
0003145789.tif 000007
【図６】
0003145789.tif 000008
【図７】
0003145789.tif 000009
【図８】
0003145789.tif 000010
【図９】
0003145789.tif 000011
【図１０】
0003145789.tif 000012